(57)【要約】【課題】  収納部内を隠したい場合には底板も含めて収納部内を隠すことができる。扉を収納した状態では扉が外部に露出しないと共に扉に邪魔されることなく収納部の底板の出し入れ操作が容易にできる。収納部内の左右方向の有効使用寸法を大きく取れる。収納体の上部に様々な付属設備を配置することが可能となる。【解決手段】  前面が開口部１となり且つ内部が収納部２となった収納体３の収納部２の底板４を開口部１から引き出し自在とする。収納体３における底板４の下位置に扉収納部５を設け、扉収納部５に引き出し自在に扉６を収納する。扉６が、扉収納部５への収納状態において底板４の下に重複するように収納され且つ引き出し状態で回動して起立させることで収納部２の開口部１を閉塞する。【選択図】図１
2007312944.tif 000002
【特許請求の範囲】
【請求項１】
前面が開口部となり且つ内部が収納部となった収納体の収納部の底板を開口部から引き出し自在とし、収納体における底板の下位置に扉収納部を設け、扉収納部に引き出し自在に扉を収納し、該扉の扉収納部への収納状態において底板の下に重複するように収納され且つ引き出し状態で回動して起立させることで収納部の開口部を閉塞自在として成ることを特徴とする収納キャビネット。
【請求項２】
収納体の上部に収納部内を換気するための換気装置を設けて成ることを特徴とする請求項１記載の収納キャビネット。
【発明の詳細な説明】
【技術分野】
【０００１】
本発明は、収納部の底板を引き出し自在とした収納キャビネットに関するものである。
【背景技術】
【０００２】
従来から前面が開口部となり且つ内部が収納部となった収納体の収納部の底板を開口部から引き出し自在とした収納キャビネットが知られている。このような収納キャビネットは収納部の底板を開口部から前方に引き出すことで、開口部の前方において底板上に収納物を載置したり、あるいは、底板上に載置している収納物を取り出したり、あるいは、底板上に載置している収納物が容器や器具の場合には容器内への内容物の出し入れや器具の操作、保守、点検等が容易にできるようになっている。
【０００３】
ところが、このような収納部の底板を収納部の開口部から前方に引き出し自在とした収納キャビネットは、収納部内が開口部から見えて見苦しいという問題がある。
【０００４】
この点を解決するものとして、前面が開口部となり且つ内部が収納部となった収納体の収納部の底板を開口部から引き出し自在とした収納キャビネットにおいて、開口部に開閉自在な扉を設けたものが特許文献１により知られている。
【０００５】
この特許文献１に示された従来例は、図１０に示すように、前面が開口部１となり且つ内部が収納部２となった収納体３の収納部２の底板４を開口部１から引き出し自在とした収納キャビネットＡにおいて、収納部２の左右両側に位置する両側板９の内面にガイドレール４０を設け、この左右両側板９の内面に設けたガイドレール４０にそれぞれ左右の扉６’を前後方向に移動自在に取り付けると共に、左右の扉６’を前方に引き出した状態で回動させて左右の扉６’で収納部２の開口部１を遮蔽自在とするようになっており、また、左右の扉６’を左右の側板９と平行とした状態で上記ガイドレール４０に沿って後方に移動させた状態で開口部１を全開するようになっている。
【０００６】
したがって、上記の従来例においては、開口部１を全開した状態では左右の側板９の内面側にそれぞれ左右の扉６’が重なることになり、このため、左右方向において左右２枚の扉６’、左右２つのガイドレール４０を配置するスペースが必要であり、収納部２内における有効利用ができる左右方向の寸法が狭くなるという問題があり、しかも、開口部１を全開した状態で、収納部２の左右内面に扉６’が重なっている状態が露出して見苦しくなり、特に、扉６’の裏面、ヒンジ等が露出するためより見苦しいだけでなく、左右の扉６’を収納した状態でも扉６’は回動自在であるため、扉６’収納状態で扉６’が回動して収納部２内に飛び出すおそれがあり、このため、底板４のスライド時に底板２に載置した収納物に扉６’が当るおそれがある。
【０００７】
また、左右の扉を左右両側板の前端に単にヒンジで開閉自在に取り付けることが考えられるが、この場合、左右の扉を開いて前方に突出させたままの状態で底板を開口部から出し入れする必要があり、底板が左右の扉に擦れ、また左右の扉が邪魔になって出し入れ操作がし難く、更に、引き出した状態の底板上に収納物を載置したり、あるいは、底板上に載置している収納物を取り出したり、あるいは、底板上に載置している収納物が容器や器具の場合には容器内への内容物の出し入れや器具の操作、保守、点検等を行う際に、左右の扉が邪魔になって作業がし難いという問題がある。また、収納キャビネットの横に隣接して壁があると扉を開いた際に扉を壁に衝突させたり、壁が邪魔になって扉を十分に開くことができなかったり、あるいは、収納キャビネットの横に隣接して別の収納キャビネットがあったりした場合、別のキャビネットに引き出しなどがある場合、扉を開いた場合に該扉が隣りの別のキャビネットの引き出しの出し入れの邪魔になると共に扉の表面を傷つけるおそれがある。
【０００８】
また、収納部の底板を引き出し自在としたものにおいて、収納体の上部に扉を取り付けて扉を開いた際に収納体の上部に扉を収納することも考えらえるが、このものにおいては、扉が邪魔になって収納体の上部に収納部内を換気するための換気装置や収納部内を照明するための照明装置等の様々な付属設備を配置できないという問題があって好ましくなく、また、扉の収納位置と、底板の収納位置とが収納体の上下に離れて位置しているため、おのおの独立した別々の収納スペースが収納体の上部と下部とに必要で、収納装置のコンパクト化の妨げになる。
【特許文献１】特許２００５−２５３５１５号公報
【発明の開示】
【発明が解決しようとする課題】
【０００９】
本発明は上記の従来の問題点に鑑みて発明したものであって、収納部の底板を開口部から引き出し自在としたものにおいて、収納部内を隠したい場合には底板も含めて収納部内を隠すことができ、また、扉を収納した状態では扉が外部に露出しないと共に扉に邪魔されることなく収納部の底板の出し入れ操作が容易にでき、しかも、収納部内の左右方向の有効使用寸法を大きく取れ、また、収納体の上部に様々な付属設備を配置することが可能となり、また、扉の開閉に当って配置位置の制約がなく、また、別の収納キャビネットと組み合わせる際にも扉開閉上の制約がない収納キャビネットを提供することを課題とするものである。
【課題を解決するための手段】
【００１０】
上記課題を解決するために本発明に係る収納キャビネットは、前面が開口部１となり且つ内部が収納部２となった収納体３の収納部２の底板４を開口部１から引き出し自在とし、収納体３における底板４の下位置に扉収納部５を設け、扉収納部５に引き出し自在に扉６を収納し、該扉６が、扉収納部５への収納状態において底板４の下に重複するように収納され且つ引き出し状態で回動して起立させることで収納部２の開口部１を閉塞するように構成してあることを特徴とするものである。
【００１１】
このような構成とすることで、開口部１を開いて使用する際は、扉６を収納部２の底板４の下位置の扉収納部５内に収納して扉６が外部に露出しない状態にして底板４上に収納物７を載置するものであり、この扉６の収納状態で、底板４を引き出して、底板４上に収納物７を載置したり、あるいは、底板４上に載置している収納物７を取り出したり、あるいは、底板４上に載置している収納物７が容器や器具の場合には容器内への内容物の出し入れや器具の操作、保守、点検等を行うことができ、この場合、扉６が邪魔になることなく上記操作が容易にできる。また、収納部２内を見せたくない場合は、扉６を底板４の下位置の扉収納部５から前方に引き出して回動して起立させることで簡単に開口部１を閉じて底板４を含めて収納部２内が見えないように隠すことができる。そして、扉収納部５を収納部２の底である引き出し自在な底板４の下位置に設けることで、底板４の引き出しに必要な底板スライド機構１２と、扉６の引き出しに必要な扉スライド機構１６とを収納部２の下部にまとめて配置できて、収納部２の左右両側や上に扉スライド機構１６を設けて底板４の収納位置とは離れた箇所に扉６を収納する場合に比べて、コンパクト化が図れると同時に収納部２内の左右方向の有効使用寸法を大きく取れ、また、収納体３の上に扉６やレール部材に邪魔されることなく他の付属設備を配設することが可能となり、また、扉６の開閉に当って配置位置に制約がなく、別の収納キャビネットとの組み合わせる場合においても扉６の開閉による制約がなくなる。
【００１２】
また、収納体３の上部に収納部２内を換気するための換気装置８を設けることが好ましい。
【００１３】
このような構成とすることで、引き出し自在な底板４上に炊飯器や湯沸し用電気ポットなどの蒸気や熱気などを発生させる収納物７を載せて収納部２内に収納する場合であっても、換気装置８を運転することで、収納部２内で発生する蒸気や熱気を換気装置８で換気でき、また、開口部１を開にした状態で蒸気や熱気などを発生させる収納物７を載せて収納部２内に収納した場合に発生した蒸気や熱気を換気装置８により換気できるのはもちろん、開口部１を扉６で閉じて収納部２内が見えないようにした状態において、収納部２内で蒸気や熱気などを発生させる収納物７がオン状態となっていて蒸気や熱気を発生させるような場合であっても、発生した蒸気や熱気を換気装置８により換気できるものであり、しかも、上記のように収納部２の底板４の下位置に重ねるように扉６を収納するので、収納部２の底板４を引き出し自在にしたものにおいて、扉６収納、開閉に影響を受けることなく収納体３の上部に換気装置８を設けることができることになる。
【発明の効果】
【００１４】
本発明は、上記のように、扉が、扉収納部への収納状態において底板の下に重複するように収納され且つ引き出し状態で回動して起立させることで収納部の開口部を閉塞するように構成してあるので、収納部の底板を開口部から引き出し自在としたものにおいて、収納部内を隠したい場合には扉により開口部を閉じることで簡単な構成で底板も含めて収納部内を隠すことができてすっきりした外観となって外観がよくなり、また、扉を収納した状態では扉が外部に露出しないので、この点でも外観がよくなり、また、扉を収納した状態では扉に邪魔されることなく底板の出し入れ操作ができて、底板の出し入れ操作が容易に行えるものであり、また、扉を収納するに当り、収納部の底板の下に重ねて収納するので、全体のコンパクト化がはかれると同時に収納部内の有効使用寸法を大きく取れ、また、扉の収納とは関係なく収納体の上部に様々な付属設備を配置することが可能となり、また、扉の開閉に当って収納キャビネットの配置位置に制約がなく、別の収納キャビネットとの組み合わせる場合も扉開閉に制約がなく、この結果、配置位置の自由度や他の収納キャビネットとの組み合わせる場合等の自由度が増すという利点がある。
【発明を実施するための最良の形態】
【００１５】
以下、本発明を添付図面に示す実施形態に基いて説明する。
【００１６】
収納キャビネットＡの主体を構成する収納体３は前面が開口した箱体により構成してあり、添付図面に示す実施形態では図１乃至図３に示すように、左右側板９、上面板１０、下面板１１、背板３０を箱形状に組み合わせて固定することで前面が開口部１となった収納体３が構成してある。この収納体３内には収納用空間が形成してあって収納部２となっており、収納部２の底を構成する底板４が底板スライド機構１２を介して前面の開口部１から前方に引き出し自在となっている。
【００１７】
底板スライド機構１２は図６に示すように、収納部２の下部両側、つまり、左右側板９の内面の下面板１１よりやや上方位置に固定された前後に長い固定用レール部１３と、固定用レール部１３に対して前後方向にスライド自在に取り付けられた中間レール部１４と、中間レール部１４に対して前後方向にスライド自在に取り付けられた底板側レール部１５とで構成してあり、左右の底板側レール部１５がそれぞれ底板４の左右両側端面に固定してある。底板４を手前に引くと、底板側レール部１５が中間レール部１４に対して前方にスライドすると共に中間レール部１４が固定用レール部１３に対して前方にスライドすることで、底板４を開口部１から前方に引き出すことができ、また、底板４を押し込むことで、底板側レール部１５が中間レール部１４に対して後方にスライドして重なると共に中間レール部１４が固定用レール部１３に対して後方にスライドして重なることで、底板４を収納部２内に位置させることができるようになっている。もちろん、底板スライド機構１２は上記の例にのみ限定されず、他の種々のスライドレール機構を採用できる。
【００１８】
収納体３には図１、図３に示すように、底板４を収納部２内に収納した状態で底板４と下面板１１との間に小隙間を形成して該小隙間を扉収納部５としてある。この底板４の下位置の扉収納部５には扉スライド機構１６を介して扉６が前方に引き出し自在に収納してある。添付図面に示す実施形態においては、図６、図７に示すように、扉スライド機構１６は、左右の側板９の内面の下端部（つまり、上記固定用レール部１３の直ぐ下位置）に固定した扉スライド用レール１７と、左右両端部に左右の扉スライド用レール１７に走行自在に嵌め込まれるころ１８を有し且つ扉６の後端部が回動自在に取り付けられた左右方向に細長いスライド部材１９とで構成してある。
【００１９】
図７に示すように、左右方向に細長いスライド部材１９には少なくとも左右両端部を含む複数箇所に少なくとも前方及び下方に開口した凹部２０が形成してあり、該凹部２０内に軸芯が左右方向となった軸部２１が架設してあり、扉６の後端部に設けた軸受け部２２を軸部２１に回動自在に嵌め込んである。
【００２０】
図８に示すように扉６の後端部には回動支持部２３が設けてあり、回動支持部２３には扉６の裏面側に突出する突部２４が突設してあって該突部２４に孔２５を設けることで軸受け部２２が構成してあり、また、回動支持部２３の突部２４より後方位置に扉６の裏面側に露出する（図８においては扉６の裏面より後方に突出した状態で露出する）当り部２６が設けてある。
【００２１】
軸受け部２２をスライド部材１９の軸部２１に回動自在に軸支することで扉６がスライド部材１９に対して回動自在に取り付けられるのであるが、扉６を水平状態となるように横向き姿勢にした状態で、図８（ａ）に示すように当り部２６がスライド部材１９の下面に当って扉６が水平な横向き姿勢で保持されるようになっている。したがって、このように扉６を水平な横向き姿勢に保持した状態で扉６を押すことでスライド部材１９を扉スライド用レール１７に対して後方に移動させて扉６を底板４の直下において底板４に重複するようにして扉収納部５に収納することができ、また、収納した状態の扉６を手前に引くことで、スライド部材１９を扉スライド用レール１７に対して前方に移動させて図８（ａ）のように扉６を収納体３の前方に飛び出すように引き出すことができる。このように扉６を引き出した状態で図８（ｂ）のように扉６を回動させて起立させることで、図２、図４に示すように収納体３の前面の開口部１を閉じて底板４を含めて収納部２を覆うことができる。扉６を起立させて収納部２を閉じた場合、扉６の起立状態を保持して閉状態を維持するための手段が設けてある。扉６の閉状態を維持する手段としては例えば磁石、あるいは、ローラーキャッチ等従来から扉６の閉状態を維持する周知の技術を適用することができる。
【００２２】
扉６を開く場合は、扉６を上記とは逆に回動して水平な横向き姿勢にして扉６を後方に押し込むことにより扉収納部５内に収納することができる。
【００２３】
収納部２内にはコンセント２７が設けてある。添付図面に示す実施形態では背板３０にコンセント２７が設けてあるが、背板３０以外の部位に設けてもよい。上記コンセント２７は図示を省略しているが建物に配線してある電源線に接続される。
【００２４】
収納体３の上部には収納部２内を換気するための換気装置８が設けてある。収納体３の前面の上端部には換気装置８の操作を行うための操作部２８及び換気出口２９が設けてある。なお、換気出口２９は前面以外の他の部分に設けてもよい。
【００２５】
上記の構成の本発明の収納キャビネットＡは、底板４に収納物７として電気機器を載置して収納部２内に収納する場合、該電気機器から導出したコードの先端のプラグを収納部２に設けたコンセント２７に接続して電気機器に電力を供給することで、収納部２内に電気機器を収納した状態での電気機器への電力供給使用が可能となるようになっている。
【００２６】
上記のような構成の本発明の収納キャビネットＡは、開口部１を開にすることで、底板４を引き出して底板４上に収納物７を載せ、底板４を押し込むことで収納部２内に収納物７を収納することができる。また、底板４を収納部２内に収納した状態で図４のように扉６で開口部１を閉じることで、収納部２及び収納物７が外部に露出しないようにできる。
【００２７】
ここで、開口部１を開にして扉６を扉収納部５にした状態では、開口部１から収納部２内が見えるが、底板４を引き出していない状態では底板４により扉６が隠されて外部に露出せず、外観がよい。また、扉６を収納した状態、あるいは扉６を水平姿勢のまま前方に引き出した状態で、図５に示すように、底板４を引き出して底板４上に収納物７を載置したり、あるいは、底板４上に載置している収納物７を取り出したり、あるいは、底板４上に載置している収納物７が容器や器具の場合には容器内への内容物の出し入れや器具の操作、保守、点検等を行うことができる。このように扉６を収納した状態、あるいは水平姿勢のまま引き出した状態で、底板４をスライドさせて出し入れする際、底板４及び底板４上に載せる収納物７が扉６に当たったりせず、底板４のスライドがスムーズにでき、また、底板４、収納物７、扉６が衝突により傷ついたりしない。
【００２８】
ところで、引き出し自在な底板４に収納物７として電気機器を載置して収納部２内に収納する場合、該電気機器から導出したコードの先端のプラグを収納部２に設けたコンセント２７に接続して電気機器に電力を供給する。
【００２９】
ここで、底板４に載置する収納物７が炊飯器や湯沸し用電気ポット等の水蒸気や熱気が発生する電気機器の場合、換気装置８を運転することで収納部２内において炊飯器や湯沸し用電気ポット、コーヒーメーカ等から発生する蒸気や熱気を外部に排気して収納部２内に水蒸気や熱気がこもらないようにすることができる。
【００３０】
なお、収納部２の内面を鉄板のような金属板とすることで、収納部２内で高温の蒸気が発生したり、熱気が発生しても、蒸気による水や熱で収納部２内面が侵されず、また、安全性を高めることができる。
【００３１】
同じ理由で、底板４全体又は少なくとも底板４の上面部を鉄板のような金属製とすることで、蒸気による水や熱で底板４が侵されず、また、安全性を高めることができる。
【００３２】
本発明においては、扉収納部５を収納部２の底を構成する引き出し自在な底板４の下位置に設けてあるので、底板４の引き出しに必要な底板スライド機構１２と、扉６の引き出しに必要な扉スライド機構１６とを収納部２の下部にまとめて配置できて、収納部２の左右両側や上に扉スライド機構１６を設けて底板４の収納位置とは離れた箇所に扉６を収納する場合に比べて、収納部２内の左右方向の有効使用寸法を大きく取れ、また、収納体３の上に扉６やレール部材に邪魔されることなく他の付属設備を配設することが可能となる。しかも扉６の開閉に当って横隣りに壁があっても扉６の開閉に支障がなく、また、横隣りに別の収納キャビネットが位置する場合、別のキャビネットに引き出しがあっても、扉６の開閉と横隣りの別のキャビネットの引き出しの出し入れ操作とが相互に干渉しあうことがなく、これにより扉６の開閉に当って配置位置に制約がなく、別の収納キャビネットとの組み合わせる場合においても扉６の開閉による制約がなくなる。また、収納部２の底板４の下位置に重ねるように扉６を収納するので、収納部２の底板４を引き出し自在にしたものにおいて、扉６収納、開閉に影響を受けることなく収納体３の上部に換気装置８やその他の付属設備を設けることが可能となる。
【００３３】
添付図面に示す収納キャビネットＡにおいては、前述のように収納部７内にコンセント２７を設けているが、収納部２内に収納物７として電気機器を収納して上記コンセント２７から電力供給を受けて収納部２内で電気機器を通電使用した場合の安全対策として図９の制御ブロック図に示すような安全装置が設けてある。
【００３４】
安全装置は、温度検知手段３１と、扉６の開閉を検知する扉開閉検知手段３２と、温度検知手段３１及び扉開閉検知手段３２からの検知情報が入力される制御部３３と、上記検知情報に基づいて制御部３３から出力される制御信号によるコンセント２７からの電力供給を遮断するための電力供給遮断手段３４を備えており、扉開閉検知手段３２により扉６の閉を検知した状態において温度検知手段３１により収納部２内の温度があらかじめ設定してある所定温度以上の温度を検知すると、電力供給遮断手段３４によりコンセント２７からの電力供給を遮断して電気機器に電力が供給されないように制御されるようになっている。安全装置は、扉開閉検知手段３２により扉６の開を検知した状態においては、温度検知手段３１により収納部２内の温度があらかじめ設定してある所定温度以上の温度を検知しても、電力供給遮断手段３４によりコンセント２７からの電力供給を遮断しないようになっている。
【００３５】
扉開閉検知手段３２としては例えば扉６に磁石３２ａを設けると共に収納体３側もしくは換気装置８に磁気検知スイッチ３２ｂを設けることで構成してある。
【００３６】
上記温度検知手段３１として図９に示す実施形態においては、収納部２内に収納した収納物７である電気機器の外表面温度や収納部２内温度を検知する赤外線センサ３１ａと、換気装置８の排気路に設けられた排気温度を検知する排気温度検知センサ３１ｂとがある。
【００３７】
上記実施形態においては、扉開閉検知手段３２により扉６の閉を検知した状態において、赤外線センサ３１ａにより電気機器の外表面や収納部２内の異常温度（赤外線センサ３１ａで検知する予め設定したある設定温度を異常温度としてある）を検知すると、電力供給遮断手段３４によりコンセント２７からの電力供給を停止するようになっている。
【００３８】
また、上記赤外線センサ３１ａによる温度検知だけでなく、同時に排気温度検知センサ３１ｂによっても排気温度を検知しており、扉開閉検知手段３２により扉６の閉を検知した状態において、排気温度検知センサ３１ｂが排気の異常温度を検出した場合も、電力供給遮断手段３４によりコンセント２７からの電力供給を停止するようになっている。したがって、仮に、赤外線センサ３１ａが故障した場合でも扉開閉検知手段３２により扉６の閉を検知した状態において排気温度が異常温度となると電力供給遮断手段３４によりコンセント２７からの電力供給を停止する。
【００３９】
上記のように扉開閉検知手段３２により扉６の閉を検知した状態において、赤外線センサ３１ａにより上記異常温度を検知することで電力供給遮断手段３４によりコンセント２７からの電力供給を停止するようになっているが、これに加え、扉開閉検知手段３２により扉６の閉を検知した状態において、上記異常温度よりも低い予め決められたある温度（換気装置運転温度）を赤外線センサ３１ａで検知すると、換気装置８を運転する（換気装置８のファンを運転する）ようになっており、これにより、収納部２内に蒸気や熱気がこもって異常昇温するのを防止するようになっている。
【００４０】
なお、上記換気装置８の運転については、扉開閉検知手段３２により扉６の開を検知した状態においても、換気装置運転温度を赤外線センサ３１ａで検知すると、換気装置８を運転するようになっていてもよい。
【００４１】
上記の構成により扉６が閉じている状態で収納部２内に配置された炊飯器、湯沸し用電気ポット、コーヒーメーカ等の電気機器にコンセント２７から電力を供給して使用する場合であっても、収納部２内が異常昇温するのを防止し、仮に異常温度になったとしても、コンセント２７からの電力供給を遮断することで安全を確保することができる。したがって、扉６を閉じた状態で通電使用時に水蒸気、熱気等が出る炊飯器、湯沸し用電気ポット、コーヒーメーカ等電気機器の通電使用が可能となる。
【００４２】
一方、扉開閉検知手段３２により扉６の開を検知した状態においては、赤外線センサ３１ａが収納物７の外表面又は収納部２内の異常温度を検知した場合、排気温度検知センサ３１ｂが排気の異常温度を検出した場合のいずれの場合も電力遮断手段３４によるコンセント２７からの電力供給の停止をしないようになっている。
【００４３】
これは、収納物７である電気機器が例えば炊飯器の場合、炊飯が終了した後、炊飯器は保温状態となるのであるが、この段階で扉６を開いて図５のように底板４を引き出して炊飯器の蓋を開けた場合、大量の水蒸気が放出され、収納部２内や電気機器が異常でないにもかかわらず、赤外線センサ３１ａや排気温度検知センサ３１ｂが異常温度であると誤って検知してコンセント２７からの電力供給を停止すると、保温のための炊飯器への電力供給が停止されてしまうという問題がある。しかしながら本発明においては、上記のように扉６が開の状態では、赤外線センサ３１ａ、排気温度検知センサ３１ｂが異常温度を検出した場合のいずれの場合も電力供給遮断手段３４によるコンセント２７からの電力供給の停止を行わないので、扉６を開いて図５のように底板４を引き出して炊飯器の蓋を開けて大量の蒸気が放出されても炊飯器への保温のための電力供給が停止されることはない。
【００４４】
なお、本発明の収納キャビネットＡにおいて、添付図面では収納体３の上部に設ける付属設備として換気装置８を例示したが、必ずしもこれにのみ限定されず、例えば、収納部２内を上方より照明するための照明器具を収納体３の上部に設けてもよく、あるいは、他の付属設備を設けてもよい。
【図面の簡単な説明】
【００４５】
【図１】本発明の収納キャビネットの底板、扉をそれぞれ収納した状態の正面図である。
【図２】同上の収納キャビネットの底板を収納して扉により開口部を閉じた状態の正面図である。
【図３】同上の底板を収納して扉を引き出した状態の断面図である。
【図４】同上の底板上に収納物を載置した状態で底板を収納して扉で開口部を閉じた状態の断面図である。
【図５】同上の扉を収納した状態で収納物を載置した底板を手前に引き出した状態の断面図である。
【図６】同上の収納キャビネットの要部拡大正面図である。
【図７】同上に用いる扉スライド機構の一部省略斜視図である。
【図８】（ａ）は同上の扉を引き出した状態の要部断面図であり、（ｂ）は扉を引き出して上方に回動している途中の状態の要部断面図である。
【図９】本発明の安全装置の概略制御ブロック図である。
【図１０】従来例を示す斜視図である。
【符号の説明】
【００４６】
１  開口部
２  収納部
３  収納体
４  底板
５  扉収納部
６  扉
７  収納物
８  換気装置
【図１】
2007312944.tif 000003
【図２】
2007312944.tif 000004
【図３】
2007312944.tif 000005
【図４】
2007312944.tif 000006
【図５】
2007312944.tif 000007
【図６】
2007312944.tif 000008
【図７】
2007312944.tif 000009
【図８】
2007312944.tif 000010
【図９】
2007312944.tif 000011
【図１０】
2007312944.tif 000012